(57)【要約】【課題】目的は、気泡噴流を噴出可能な循環アダプタにおいて、気泡噴流の効果を維持しつつ、使用者の噴出口への接触防止と噴流の飛散防止とを両立させることである。【解決手段】気泡噴流噴出口２４の前端から所定距離前方に気泡噴流を略ストレートに通過させる第２噴流開口７５と、気泡噴流の外周側を覆う閉塞部７２とを有する飛散防止板６２を設け、更に、気泡噴流流路と追焚噴流流路とを切替える操作部７０の収容空間と循環流の通過空間とを兼用する。【選択図】  図３
2010096421.tif 000002
【特許請求の範囲】
【請求項１】
気泡噴流を噴出させる気泡噴流噴出口と、この気泡噴流噴出口と連通される気泡噴流流路とを有する循環アダプタにおいて、
前記気泡噴流噴出口の前端から所定距離前方に飛散防止板を設け、
この飛散防止板は、前記気泡噴流を略ストレートに通過させる開口部と、前記気泡噴流の外周側を覆う閉塞部とを有することを特徴とする循環アダプタ。
【請求項２】
前記気泡噴流は旋回流であって、前記開口部は、前記旋回流の前方への進行を阻害しない大きさを有することを特徴とする請求項１に記載の循環アダプタ。
【請求項３】
循環アダプタ本体の前面、或いは循環アダプタ本体の前面に取付けられるフィルタ部材の前面と、前記飛散防止板の間に所定の隙間部が形成されることを特徴とする請求項１または２に記載の循環アダプタ。
【請求項４】
前記隙間部の下部側部分は、上部側部分よりも大きく形成されたことを特徴とする請求項３に記載の循環アダプタ。
【請求項５】
追焚運転モードで追焚噴流を噴出する追焚噴流噴出口と、この追焚噴流噴出口と連通される追焚噴流流路とを有し、
前記隙間部に前記気泡噴流流路と追焚噴流流路とを手動操作により切替え可能な手動操作部材を設けたことを特徴とする請求項４に記載の循環アダプタ。
【請求項６】
前記飛散防止板は、循環アダプタ本体に固定されたことを特徴とする請求項１〜５の何れかに記載の循環アダプタ。
【発明の詳細な説明】
【技術分野】
【０００１】
本発明は風呂給湯器から浴槽に湯水を供給するために浴槽に取付けて使用される循環アダプタに関し、特に、使用者に対して気泡噴流を噴出する噴出口を備えた循環アダプタに関するものである。
【背景技術】
【０００２】
従来、浴槽の風呂給湯システムは、風呂給湯器から新規な高温の湯水が供給される注湯運転モード、浴槽内の湯水を再度給湯器に戻して加熱、再供給する追焚運転モード、微細な気泡を湯水に混在させて気泡噴流を噴出させる気泡運転モード、更には、湯水に超音波振動を与えて噴出させる超音波運転モード等消費者のニーズに合せて様々な湯水の供給形態を有している。
【０００３】
浴槽に取付けられる噴流噴出口、所謂循環アダプタにおいてはアダプタ単体で複数の運転モードの噴流を実現可能としなければならない。例えば、追焚運転モードでは安全の側面から高温の噴流が使用者に向かないよう浴槽下方に向けて噴出する必要がある一方、気泡運転モードでは噴流を使用者に向けて前方へ集中噴出する必要がある。
【０００４】
特許文献１は、水平方向を向く気泡噴流噴出口と下方向を向く追焚噴流噴出口とを備えた循環アダプタであって、双方の噴出口に向かう噴流流路を形状記憶合金の作動によって切替える切替え弁を設け、湯水高温時は自動的に噴流流路を追焚噴流噴出口に向けると共に、常温時は気泡噴流噴出口に向けるよう構成した技術を提案している。
【０００５】
一方、気泡運転モードは、使用者に対して所定の気泡が混合され、所定の噴出圧を有した気泡噴流を噴出する必要があることから、噴出口形状や噴圧の調整は重要な要因である。特許文献２は、使用者の身体の一部に所定の噴出圧を有した噴流を当てるアダプタにおいて、浴槽壁から突出したノズル長さよりも所定距離軸方向に長いノズルカバーを提案している。特許文献２では、使用者の身体にノズルが直接触れることなく、また、患部を持たれ掛けた状態で、所定の噴出圧の噴流を受けることができる。
【０００６】
【特許文献１】特開平８−２９００２４号公報
【特許文献２】実開平４−１１０３０号公報
【発明の開示】
【発明が解決しようとする課題】
【０００７】
前記のように使用者に噴流を当てて使用する噴出口は、浴槽側壁に略水平方向に向けて設置されており、また、所定の噴出圧をもつ噴流は、噴出口からの進行方向に対して放射状に拡散進行する軌跡をとる。浴槽の水位が高い場合、噴出された噴流は噴出口周囲の湯水が抵抗となり放射状の飛散が抑制されるものの、浴槽の水位が低い場合、抵抗となる湯水が存在しないため、噴流が四方に飛散してしまう。
【０００８】
特に、気泡噴流を形成する場合は、湯水に対して微細な気泡を一定の割合で且つ一様に混合する必要があることから、旋回流等の湯水の流れを形成することが有効である反面、旋回流を有する噴流は中空渦状の流れを形成し、旋回流を形成しないときに比べて放射方向に膨らむ傾向が強まり、飛散傾向が一層拡大する。
【０００９】
本発明の目的は、気泡噴流を噴出可能な循環アダプタにおいて、使用者に当たる気泡噴流の効果を維持しつつ、使用者の噴出口への接触防止と噴流の飛散防止とを両立させることである。
【課題を解決するための手段】
【００１０】
本発明に係る循環アダプタは、気泡噴流を噴出させる気泡噴流噴出口と、この気泡噴流噴出口と連通される気泡噴流流路とを有する。
【００１１】
請求項１の発明は、前記気泡噴流噴出口の前端から所定距離前方に飛散防止板を設け、この飛散防止板は、前記気泡噴流を略ストレートに通過させる開口部と、前記気泡噴流の外周側を覆う閉塞部とを有することを特徴とする。
【００１２】
請求項１の発明では、飛散防止板の開口部を気泡噴流噴出口の前端から所定距離前方に形成でき、気泡噴流を略ストレートに通過可能とできる。しかも、飛散防止板の閉塞部が気泡噴流の外周側成分の飛散進行を遮断できる。
【００１３】
請求項２の発明は、請求項１に記載の発明において、前記気泡噴流は旋回流であって、前記開口部は、前記旋回流の前方への進行を阻害しない大きさを有することを特徴とする。
【００１４】
請求項３の発明は、請求項１または２に記載の発明において、循環アダプタ本体の前面、或いは循環アダプタ本体の前面に取付けられるフィルタ部材の前面と、前記飛散防止板の間に所定の隙間部が形成されることを特徴とする。
【００１５】
請求項４の発明は、請求項３に記載の発明において、前記隙間部の下部側部分は、上部側部分よりも大きく形成されたことを特徴とする。
【００１６】
請求項５の発明は、請求項４に記載の発明において、追焚運転モードで追焚噴流を噴出する追焚噴流噴出口と、この追焚噴流噴出口と連通される追焚噴流流路とを有し、前記隙間部に前記気泡噴流流路と追焚噴流流路とを手動操作により切替え可能な手動操作部材を設けたことを特徴とする。
【００１７】
請求項６の発明は、請求項１〜５の何れかに記載の発明において、前記飛散防止板は、循環アダプタ本体に固定されたことを特徴とする。
【発明の効果】
【００１８】
請求項１の発明によれば、前記気泡噴流噴出口の前端から所定距離前方に飛散防止板を設け、この飛散防止板は、前記気泡噴流を略ストレートに通過させる開口部と、前記気泡噴流の外周側を覆う閉塞部とを有するため、気泡噴流の効果を維持しつつ、使用者の噴出口への接触防止と噴流の飛散防止とを両立することができる。
【００１９】
つまり、開口部が気泡噴流噴出口の前端から所定距離前方に形成されると共に、気泡噴流を略ストレートに通過可能にさせるため、気泡噴流の噴出圧を弱めることなく且つ使用者の噴出口への接触防止が図れる。更に、閉塞部が気泡噴流の外周側成分の飛散進行を遮断するため、浴槽の水位が低い場合でも、噴流の飛散を防止できる。
【００２０】
請求項２の発明によれば、前記気泡噴流は旋回流であって、前記開口部は、前記旋回流の前方への進行を阻害しない大きさを有するため、微細な気泡が一定の割合で且つ一様に混合された気泡噴流を得ることができる。
【００２１】
請求項３の発明によれば、循環アダプタ本体の前面、或いは循環アダプタ本体の前面に取付けられるフィルタ部材の前面と、前記飛散防止板の間に所定の隙間部が形成されるため、噴流の形成に必要な循環流を噴流の進行方向に直行する面方向から得ることができ、気泡噴流の減衰を防止できる。
【００２２】
請求項４の発明によれば、前記隙間部の下部側部分は、上部側部分よりも大きく形成されるため、気泡噴流の外周側成分、特に、浴槽に回収されない上方成分の飛散を積極的に遮断すると共に、気泡噴流の減衰を防止できる。
【００２３】
請求項５の発明によれば、追焚運転モードで追焚噴流を噴出する追焚噴流噴出口と、この追焚噴流噴出口と連通される追焚噴流流路とを有し、前記隙間部に前記気泡噴流流路と追焚噴流流路とを手動操作により切替え可能な手動操作部材を設けたため、隙間部を手動操作部材の操作空間として兼用できる。
【００２４】
請求項６の発明によれば、前記飛散防止板は、循環アダプタ本体に固定されるため、使用者がフィルタ部材を取外した場合であっても、気泡噴流の効果を維持しつつ、使用者の噴出口への接触防止と噴流の飛散防止とを両立することができる。
【発明を実施するための最良の形態】
【００２５】
以下、本発明を実施する為の最良の形態について実施例１に基づいて説明する。
【実施例１】
【００２６】
図１に示すように、実施例の風呂供給システムは、浴槽１、風呂給湯器２、循環回路３及び循環アダプタ４から構成される。風呂給湯器２はガス等の燃焼部と熱交換部とからなる給湯用の第１熱供給部５と風呂追焚用の第２熱供給部６と水や湯水を循環させるためのポンプ７とから構成され、夫々の機器はコントローラ８によって制御される。また、コントローラ８は操作パネル９に電気的に接続されており、使用者が操作パネル９上に設置されている運転モード毎に設けられた押し釦を押すことによって風呂の湯張指示や各種モード選択信号がコントローラ８に伝達され風呂給湯器２の作動が開始される。
【００２７】
給湯用である第１熱供給部５に関連する水や湯水の流通回路について説明する。導入路１０に導入された水が第１流量センサ１１を経て第１熱供給部５に供給され、排出路１２を通って浴槽１及びその他の給湯系装置に供給される経路となっている。
【００２８】
風呂追焚用である第２熱供給部６に関連する水や湯水の循環回路について説明する。循環回路３は復路１３と往路１４とから構成されている。ポンプ７の作動により循環アダプタ４から吸入された浴槽１の湯水は復路１３を経て第２熱供給部６で加熱されて往路１４を通り循環アダプタ４から浴槽１に供給される経路となっている。ポンプ７下流の復路１３には第２流量センサ１５が設けられ、安全上の観点から３．５Ｌ/分以上の流量がなければ第２熱供給部６の加熱動作は行われない。尚、排出路１２と復路１３とは分岐排出路１６で接続されており、その連通は電磁弁１７により制御される。
【００２９】
次に、循環アダプタ４について図２〜図４に基づいて説明する。
図２は循環アダプタ４の正面図、図３は図２のIII-III線断面図、図４は図２のIV-IV線断面図を示す。
【００３０】
循環アダプタ４は、浴槽１の外側に配設される第１筒状体１８と、浴槽１の内部側から浴槽壁に貫通状に配設されて第１筒状体１８に螺合される第２筒状体１９とを有している。第１、第２筒状体１８，１９は夫々第１フランジ部１８ａと第２フランジ部１９ａとを備えており、環状パッキン２０，２１により浴槽壁とフランジ部１８ａ，１９ａとのシール性を確保している。
【００３１】
第２筒状体１９の内周側には、第２フランジ部１９ａにボルト２２により固定される切替弁ケース２３が配設され、この切替弁ケース２３の表面には水平方向に浴槽側に向かって開口するテーパ状の気泡噴流噴出口２４と吸込口２５とが設けられると共に、槽底方向に向かって後述する横穴状の追焚噴流噴出口２６が形成されている。循環アダプタ４の浴槽側表面部分には、第２フランジ部１９ａと切替弁ケース２３とを覆う形で脱着可能なフィルタ部材２７が装着されている。
【００３２】
第１筒状体１８の端壁部２８には、吸入管２９と吐出管３０と吸気管３１の３つのポート部分が形成されており、吸入管２９は往路１４と、吐出管３０は復路１３とに夫々連結されている。吸気管３１は、フィルタ、オリフィス及び逆止弁等を備えた図示しない吸気ユニットと吸気パイプを介して接続されている。
【００３３】
切替弁ケース２３は、第２筒状体１９の内周面に嵌合する外筒部３２と、外筒部３２と協働して複数の機能空間を形成する内筒部３３とを備える。つまり、外筒部３２と内筒部３３とによって切替弁ケース２３内部には、気泡噴流噴出口２４が設けられる円柱状の旋回室３４及び吸込口２５が設けられる吸込室３５、更に、後述するように、旋回室３４と並設されると共に連通路３６で接続される旋回予備室３７、旋回予備室３７と並設されると共に追焚噴流噴出口２６と連通可能な供給室３８及び旋回予備室３７と供給室３８とに対して反浴槽側に直列状に配置される吸入室３９の５つの機能空間が存在している。
【００３４】
旋回室３４には浴槽側先端が円錐形状の吸気ノズル４０が設置されている。この吸気ノズル４０の内部には吸気管３１と連通する吸気孔４１が設けられており、吸気孔４１から導入された空気を旋回室３４の長手方向中央部分に設けられた連通路開口４２に向けて供給するように構成されている。
【００３５】
図４に示すように、連通路３６はその接続方向が円柱状の旋回室３４に対して接線方向となるように連通されている。この構成により、旋回予備室３７から導入される湯水が旋回室３４の内周形状に沿って高速旋回することになり、空気の吸引、気泡の微細化及び所定周波数の超音波の発生等に適した旋回回転数を有する中空渦状の噴流を得ることができる。尚、本循環アダプタ４においては、旋回回転数を３０，０００〜４０，０００回転/分となるように構成されている。旋回予備室３７には、連通路開口４２の上流側に図示しない逆止弁が設置されており、吸入室３９からの湯水の流れのみを許容している。
【００３６】
切替弁ケース２３には、内筒部３３を貫通し、湯水の噴出口を気泡噴流噴出口２４と追焚噴流噴出口２６とに切替え制御する噴出口切替部材４３が設けられている。噴出口切替部材４３は、中央部分を内筒部３３に形成された受部４４によって摺動可能に支持される弁軸４５、弁軸４５の一端側である反浴槽側端部に装着される第１切替弁４６、第１切替弁４６と受部４４を挟んで他端側に設置された第２切替弁４７、第２切替弁４７よりも他端側である弁軸４５の浴槽側端部に固定された半球状の軸受け部材４８とから構成している。
【００３７】
第１切替弁４６は、旋回予備室３７と吸入室３９との連通状態を制御する遮断部４９と、この遮断部４９と並設され、吸入室３９と供給室３８とを常時連通させる連通部５０とで構成されている。第２切替弁４７は供給室３８と連通すると共に内筒部３３に形成され、第２切替弁４７より小径で且つ円筒形状の第１凹部５１を開閉可能としている。また、第１凹部５１の浴槽側には第１凹部５１より大径の第２凹部５２が一体的に形成されている。弁軸４５には、第１支持部５３と、吸入室３９側に形成される第２支持部５４とが構成されている。
【００３８】
受部４４に設けられる第１受座５５と第１支持部５３との間にはバイアスバネ５７が配置され、第２支持部５４と内筒部３３に固定される第２受座５６との間には形状記憶合金製バネ５８が配置されている。バイアスバネ５７と形状記憶合金製バネ５８との張力はバランスが保たれており、噴出口切替部材４３の位置、所謂第１切替弁４６と第２切替弁４７との状態は形状記憶合金製バネ５８の張力が変わらない限り変化しないように構成されている。第１切替弁４６と第２切替弁４７との位置関係は、第２切替弁４７が第１凹部５１を閉止している時は第１切替弁４６の遮断部４９が開弁し、逆に、遮断部４９が旋回予備室３７を閉止している時は第２切替弁４７が開弁するように構成されている。
【００３９】
具体的に説明すると、湯水が低温或いは常温時では、形状記憶合金製バネ５８は収縮状態となっている。この時、第２切替弁４７は第１凹部５１を閉弁すると共に遮断部４９は開弁していることから湯水は旋回予備室３７、連通路３６を経て旋回室３４に供給される。次に、高温の湯水、例えば５０℃の湯水が循環アダプタ４内に供給されると、形状記憶合金製バネ５８が温度変化に感応して伸張し、バイアスバネ５７が圧縮されて第２切替弁４７が開弁し遮断部４９が閉弁する。
【００４０】
次に、使用者の手動操作によって噴流流路を切替える手動操作部材について説明する。フィルタ部材２７の内側で、且つ切替弁ケース２３の浴槽側端面には、循環アダプタ本体側壁部を構成する樹脂製の内カバー部材５８が前記ボルト２２によって切替弁ケース２３に固定されている。
【００４１】
内カバー部材５８は、気泡噴流噴出口２４の外周に設けられる第１噴流開口５９、第１噴流開口５９から浴槽側に向かって拡開する断面テーパ状に形成された正面視円状のテーパ部６０、テーパ部６０の一部下方領域に沿って形成される円弧状溝部６１、テーパ部６０上方位置に形成され、飛散防止板６２と係合可能な第１係合穴６３、円弧状溝部６１下方位置に形成され、飛散防止板６２と係合可能な第２係合穴６４、後述する摺動部材６５と第１操作位置で係合可能な第１突起部６６、摺動部材６５と第２操作位置で係合可能な第２突起部６７とから構成される。
【００４２】
円弧状溝部６１は、反浴槽側にアダプタ本体側壁部に略平行な底辺と上壁と下壁と側壁とからなる断面略コ字状をなす凹所を有し、底辺の略中央部分には、弁軸４５の他端側部分を支持すると共に、弁軸４５を軸方向摺動自在に貫通させる貫通口６１ａが形成されている。尚、円弧状溝部６１の下側領域は、正面から見て吸込口２５の前方を覆うよう構成され、吸込口２５へ吸い込まれる湯水は、循環アダプタ下端部分の開口部分から吸引される。
【００４３】
左右方向に長い略円弧形状の摺動部材６５は、この摺動部材６５を左右方向移動自在に弁軸４５の他端側部分を貫通させる略円弧状に形成された円弧状貫通口６８と、この円弧状貫通口６８の周囲に形成され、軸受け部材４８に摺接可能で且つ弁軸４５と直交する面に対して傾斜すると共に、断面半円状で軸受け部材４８に接触する傾斜部６９と、摺動部材６５左側端部に浴槽側に向かって延設された操作部７０とから構成する。
【００４４】
傾斜部６９は、内カバー部材５８からの高さが、右側に向かうに従って高くなるように構成している。つまり、操作部７０を右側端部位置(第１操作位置)に手動操作すると、摺動部材６５が円弧状溝部６１内を右方向に摺動移動し、バイアスバネ５７が形状記憶合金製バネ５８の張力よりも強い場合、傾斜部６９に摺接する軸受け部材４８は傾斜部６９に沿って反浴槽側に移動する。一方、操作部７０を左側端部位置(第２操作位置)に手動操作すると、摺動部材６５が円弧状溝部６１内を左方向に摺動移動し、バイアスバネ５７が形状記憶合金製バネ５８の張力よりも強い場合、傾斜部６９に摺接する軸受け部材４８は傾斜部６９に沿って浴槽側に移動する。
【００４５】
従って、軸受け部材４８が傾斜部６９に摺接している場合、傾斜部６９の浴槽側に対する内カバー部材５８からの高さは、操作部７０を右側端部位置に手動操作したとき、弁軸４５を第２切替弁４７が閉弁し遮断部４９が開弁する位置になり、操作部７０を左側端部位置に手動操作したとき、弁軸４５を第２切替弁４７が開弁し遮断部４９が閉弁する位置になるように設定されている。
【００４６】
尚、操作部７０を右側端部位置に手動操作した場合であっても、湯水温度が高温になると、形状記憶合金製バネ５８が温度変化に感応して伸張し、バイアスバネ５７が圧縮されるため、軸受け部材４８が傾斜部６９から離れ、浴槽側に摺動移動し、弁軸４５を第２切替弁４７が開弁し遮断部４９が閉弁する位置になる安全装置機能を備えている。
【００４７】
操作部７０のアダプタ本体側底面には、第１突起部６６及び第２突起部６７と係合可能な凹部７１が形成されており、操作部７０が第１操作位置或いは第２操作位置に手動操作された場合、摺動部材６５を位置決め可能で且つ使用者に所定の節度感を与えるように構成している。
【００４８】
飛散防止板６２は、略円板状の閉塞部７２と、この閉塞部７２の上端部分に設けられ、第１係合穴６３に係合する第１係合部７３と、閉塞部７２の下端部分に設けられ、第２係合穴６４に係合する第２係合部７４とを有している。
【００４９】
閉塞部７２は、アダプタ本体側壁部中央部分に対応して、正面から見て吸込口２５の前方を一部覆うよう構成されると共に、内カバー部材５８から所定距離浴槽側前方に離間して配置されている。また、閉塞部７２は、第１噴流開口５９と同径の第２噴流開口７５(開口部)と、操作部７０を左右方向に操作可能に収容する三日月状の操作開口７６とを有している。第２噴流開口７５は、気泡噴流噴出口２４のテーパ形状面の延長上に対応して形成され、気泡噴流を略ストレートに通過可能としている。
【００５０】
閉塞部７２の外縁側部は、第１係合部７３と第２係合部７４とにより内カバー部材５８に連結固定されており、特に、上側外縁側部において、第１係合部７３以外の側部部分は内カバー部材５８と所定距離離間する隙間部７７を形成している。この隙間部７７及び操作開口７６の離間空間により、気泡運転モードの際、飛散防止板６２の外側から噴流形成に必要な循環流を得ることができ、気泡噴流の減衰を防止できる。また、閉塞部７２は、第２噴流開口７５と気泡噴流噴出口２４のテーパ形状面とを結ぶ領域よりも外方を進行する気泡噴流の外周側成分を遮断すると共に、大気中の場合、遮断により付着した湯水を下方に誘導する。
【００５１】
次に、本実施例１に係る循環アダプタ４の作用効果について、説明する。
気泡噴流噴出口２４の前端から所定距離前方に気泡噴流を略ストレートに通過させる第２噴流開口７５と、気泡噴流の外周側を覆う閉塞部７２とを有する飛散防止板６２を設けたため、気泡噴流の噴出圧を弱めることなく且つ使用者の気泡噴流噴出口２４への接触防止が図れる。
【００５２】
また、閉塞部７２が気泡噴流の外周側成分の飛散進行を遮断するため、浴槽の水位が低い場合でも、噴流の飛散を防止できる。しかも、第２噴流開口７５が旋回気泡噴流の前方への進行を阻害しない大きさを有するため、微細な気泡を一定の割合で且つ一様に混合された気泡噴流を得ることができる。
【００５３】
循環アダプタ４に取付けられるフィルタ部材２７の前面と、飛散防止板６２の間に隙間部７７が形成されるため、噴流の形成に必要な循環流を得ることができ、気泡噴流の減衰を防止できる。しかも、気泡噴流流路と追焚噴流流路とを切替える操作部７０の収容空間と循環流の通過空間とを兼用できるためコンパクト化が図れる。
【００５４】
飛散防止板６２は、循環アダプタ４の内カバー部材５８に固定されるため、図５に示すように、使用者がフィルタ部材２７を取外した場合であっても、気泡噴流の効果を維持しつつ、使用者の噴出口２４への接触防止と噴流の飛散防止とを図ることができる。また、内カバー部材５８の円弧状溝部６１の下側領域は、吸込口２５の前方を覆うよう構成されるため、噴出口２４から噴出される気泡噴流を吸引することを防止でき、噴流の減衰を防止できる。
【実施例２】
【００５５】
図６〜図８に基づいて、実施例２に係る循環アダプタ４について説明する。図６は循環アダプタ４の正面図を示し、図７は本循環アダプタ４を左から見た側面図を示し、図８は図６のVIII−VIII線断面図を示す。尚、実施例１と同様の部材は同一符号を付する。
【００５６】
実施例１との相違点は、実施例１では、飛散防止板６２が循環アダプタ４の内カバー部材５８に固定されているのに対し、本実施例２では、飛散防止板６２がフィルタ部材２７に固定されている点である。
【００５７】
フィルタ部材２７は、第２フランジ部１９ａと切替弁ケース２３とを覆う形で脱着可能とされ、気泡噴流噴出口２４の周囲に樹脂製の噴口部７８を備えている。噴口部７８は、第１噴流開口７９と、浴槽側に向かって拡開するテーパ部８０とから構成する。噴口部７８は、フィルタ部材２７に設けられた開口に外周のフランジによって装着されている。
【００５８】
飛散防止板８１は、略円板状の閉塞部８２と、この閉塞部８２外縁の上下左右の４ヶ所に形成され、内部にねじ穴を備える取付け部８３，８３,…と、から構成する。飛散防止板８１は、フィルタ部材２７内部からボルト８４，８４,…によってフィルタ部材２７に固定される。
【００５９】
閉塞部８２は、上方部分を構成する半円板状の第１閉塞部８２ａ、下方部分を構成し、外縁側部が第１閉塞部８２ａの外縁側部よりも厚さの薄い半円板状の第２閉塞部８２ｂから構成され、飛散防止板８１は第１噴流開口７９と同径の第２噴流開口８５(開口部)とを有している。第２噴流開口８５は、気泡噴流噴出口２４のテーパ形状面の延長上に対応して形成され、気泡噴流を略ストレートに通過可能としている。
【００６０】
図７及び図８に示すように、第２閉塞部８２ｂとフィルタ部材２７との間に隙間部として間隔Ｂが形成され、第１閉塞部８２ａとフィルタ部材２７との間に間隔Ｂよりも狭い間隔Ａが形成されている。
【００６１】
この間隔Ａ及び間隔Ｂの隙間部により、気泡運転モードの際、飛散防止板８１の外側から噴流形成に必要な循環流を得ることができ、気泡噴流の減衰を防止できる。また、閉塞部８２は、第２噴流開口８５と気泡噴流噴出口２４のテーパ形状面とを結ぶ領域よりも外方を進行する気泡噴流の外周側成分を遮断すると共に、大気中の場合、遮断により付着した湯水を下方に誘導する。
【００６２】
次に、本実施例２に係る循環アダプタ４の作用効果について、説明する。
実施例１と同様に、気泡噴流噴出口２４の前端から所定距離前方に気泡噴流を略ストレートに通過させる第２噴流開口８５と、気泡噴流の外周側を覆う閉塞部８２とを有する飛散防止板８１を設けたため、気泡噴流の噴出圧を弱めることなく且つ使用者の気泡噴流噴出口２４への接触防止が図れる。
【００６３】
第１閉塞部８２ａによる間隔Ａと間隔Ａより広い第２閉塞部８２ｂによる間隔Ｂとを形成するため、気泡噴流の外周側成分、特に、浴槽に回収されない上方成分の飛散を積極的に遮断すると共に、気泡噴流の減衰を防止できる。
【００６４】
次に、前記実施例を部分的に変更した変形例について説明する。
１〕前記実施例においては、３つの運転モードを実現可能な例について説明したが、少なくとも気泡運転モード備えれば良く、更に多くの運転モードを備えるものについても、本発明の循環アダプタを適用できる。
【００６５】
２〕その他、当業者であれば、本発明の趣旨を逸脱することなく、前記実施例に種々の変更を付加した形態で実施可能であり、本発明はそのような変更形態も包含するものである。
【図面の簡単な説明】
【００６６】
【図１】実施例１の風呂給湯システムの全体説明図である。
【図２】実施例１に係る循環アダプタの正面図である。
【図３】図２におけるIII−III線断面を示す図である。
【図４】図２におけるIV-IV線断面を示す図である。
【図５】実施例１に係る循環アダプタからフィルタ部材を取外した図である。
【図６】実施例２に係る循環アダプタの正面図である。
【図７】実施例２に係る循環アダプタの側面図である。
【図８】図６におけるVIII-VIII線断面を示す図である。
【符号の説明】
【００６７】
１          浴槽
４          循環アダプタ
２４        気泡噴流噴出口
２６        追焚噴流噴出口
４３        噴出口切替部材
５８        内カバー部材
６２，８１  飛散防止板
７０        操作部
７２，８２  閉塞部
７５，８５  第２噴流開口
【図１】
2010096421.tif 000003
【図２】
2010096421.tif 000004
【図３】
2010096421.tif 000005
【図４】
2010096421.tif 000006
【図５】
2010096421.tif 000007
【図６】
2010096421.tif 000008
【図７】
2010096421.tif 000009
【図８】
2010096421.tif 000010